(57)【特許請求の範囲】
【請求項１】
機能水を生成する機能水生成機であって、
前記機能水生成機を制御する基盤がケースに収納された制御部が収納される制御部空間と、
前記機能水が通過する通水部が収納される通水空間と、
前記通水空間に設けられ、前記通水空間での漏水を検知する漏水検知部と
前記通水空間と前記制御部空間を仕切るとともに前記漏水検知部の上方まで延伸する仕切り壁と、
前記漏水検知部よりも上方かつ、前記仕切り壁の上端よりも低い位置に、前記通水空間から外部空間へ水を排出する排出口と、を有しており、
前記仕切り壁の上部には、前記制御部空間から前記通水空間にアクセス可能な開口部が設けられており、
前記開口部は、前記ケースによって閉塞される
ことを特徴とする機能水生成機。
【請求項２】
前記通水空間と、前記制御部空間を収納する外ケースを有し、
前記仕切り壁の上端は、前記外ケースの上下方向において中央よりも下方に位置する
ことを特徴とする請求項１に記載の機能水生成機。
【請求項３】
前記制御部は、外部から供給される電源を前記制御部に接続する電源接続部を有し、
前記電源接続部は、前記制御部を設置した状態において上方側に設けられる
ことを特徴とする請求項１または２に記載の機能水生成機。
【請求項４】
前記通水空間と、前記制御部空間を収納する外ケースを有し、
前記外ケースは、前記通水部からの機能水を出水する出水口を有し、
前記出水口は、前記外ケースの天井部に設けられる
ことを特徴とする請求項１に記載の機能水生成機。
【請求項５】
前記通水空間と、前記制御部空間を収納する外ケースを有し、
前記外ケースは、給水源からの水が流入する流入口を有し、
前記流入口は、前記出水口よりも下方に位置する
ことを特徴とする請求項１に記載の機能水生成機。
【請求項６】
前記通水空間と、前記制御部空間を収納する外ケースを有し、
前記ケースの上端部は、前記外ケースの前記天井部近傍に設けられる
ことを特徴とする請求項１に記載の機能水生成機。
【発明の詳細な説明】
【技術分野】
【０００１】
開示の実施形態は、機能水を吐水する水栓の機能水生成機に関する。
【背景技術】
【０００２】
従来、機能水を生成し、水周り機器において機能水を吐水する水栓装置が知られている。機能水を生成するためには、機能水生成機が必要であり、水道水を電気分解することによって機能水を生成する方法が知られている。このように機能水を機能水生成機によって生成し、水周り機器に機能水を吐水することで、水周り機器（例えば、ボウルや排水口）等を清潔に保つことができ、さらには、使用者による清掃の頻度を少なくすることができる（例えば特許文献１）。
【先行技術文献】
【特許文献】
【０００３】
【特許文献１】特開平１０−２８７２１号公報
【発明の概要】
【発明が解決しようとする課題】
【０００４】
しかしながら、特許文献１の機能水生成機のように、電気分解によって機能水を生成する場合には、機能水等の水を通水する空間と電気分解を制御する制御部とが同一の空間に配置してしまうと通水部で漏水が発生した場合、水が制御部に侵入して制御部が故障する恐れがある。また、通水部での漏水が制御部に侵入しないようにするために、通水部と制御部を個別のケースに収納することも考えられるが、個別のケースに収納してしまうと機能水生成機が大型化してしまう恐れがある。また、通水部と制御部を個別のケースに収納すると、水が制御部に浸入することは防止できるが、通水部の組み立て性やメンテナンス性が低下してしまう。
【０００５】
本発明は、上記に鑑みてなされたものであって、通水部と制御部とを同一のケースに収納した場合であっても、通水部側から制御部側に水が侵入して制御部が故障することを防止とともに、組み立て性やメンテナンス性が低下することを抑制できる機能水生成機を提供することを目的とする。
【課題を解決するための手段】
【０００６】
本発明に係る機能水生成機は、機能水を生成する機能水生成機であって、前記機能水生成機を制御する基盤がケースに収納された制御部が収納される制御部空間と、前記機能水が通過する通水部が収納される通水空間と、前記通水空間に設けられ、前記通水空間での漏水を検知する漏水検知部と前記通水空間と前記制御部空間を仕切るとともに前記漏水検知部の上方まで延伸する仕切り壁と、前記漏水検知部よりも上方かつ、前記仕切り壁の上端よりも低い位置に、前記通水空間から外部空間へ水を排出する排出口と、を有しており、前記仕切り壁の上部には、前記制御部空間から前記通水空間にアクセス可能な開口部が設けられており、前記開口部は、前記ケースによって閉塞されることを特徴とする。
【０００７】
本発明に係る機能水生成機は、通水空間と制御部空間との間に仕切り壁を設けることで、通水空間から制御部空間に水が侵入することを防止でき、通水空間に存在する水は、排出口を通じて外部に排出することができる。また、漏水検知部を設けることにより、漏水が発生した場合、漏水を検知することができる。
【０００８】
また、通水空間と制御部空間との間に仕切り壁を設けることで、漏水が起きた場合に通水空間の底に貯留することができ、ここに漏水検知部を設けることで確実に漏水を発見することができる。さらに、仕切り壁を大きくすることによって通水空間から制御部空間への水の侵入を防止できるが、仕切り壁を上方まで設けてしまうと、通水部等のメンテナンス時に仕切り壁が邪魔をしてしまいメンテナンス性が低下する。そこで、本発明の機能水生成機は、仕切り壁の上方に開口部を設けて、さらに開口部はケースによって閉塞する。このような構成とすることで、通水部をメンテナンスする際や組み立てを行う際は、制御部を取り外すことで開口部が開口するためメンテナンス性や組み立て性が低下することを抑制できる。また、制御部を取り付けた状態においては、ケースによって開口部を閉塞するため、通水空間から制御部空間に水が侵入することを防止できる。したがって、漏水時に水が制御部空間に進入して制御部が故障することを防止できる。
【０００９】
また、本発明に係る機能水生成機では、前記仕切り壁の上端は、前記外ケースの上下方向において中央よりも下方に位置することを特徴とすることが好ましい。
【００１０】
この好ましい形態では、仕切り壁の上端を外ケースの上下方向において中央よりも下方にすることで、開口部を広くとることができ、メンテナンス性や組み立て性を向上させることができる。
【００１７】
また、本発明に係る機能水生成機では、前記制御部は、外部から供給される電源を前記制御部に接続する電源接続部を有し、前記電源接続部は、前記制御部を設置した状態において上方側に設けられることを特徴とすることが好ましい。
【００１８】
この好ましい態様では、電源接続部が制御部の下方に設けられる場合は、少量の水が制御部空間に侵入すると電源接続部に水が接触してしまう恐れがあるが、電源接続部を上方側に設けることで、少量の水が侵入した場合であっても電源接続部に水が接触する恐れがなく、制御部の故障を防止できる。
【００２１】
また、本発明に係る機能水生成機では、前記外ケースは、前記通水部からの機能水を出水する出水口を有し、前記出水口は、前記外ケースの天井部に設けられることを特徴とすることが好ましい。
【００２２】
この好ましい態様では、例えば、キッチン等に設けられるキャビネット内部に設置する場合、機能水生成機からの機能水が吐水される水栓装置はキャビネットの上方にあることが大半であり、出水口を外ケースの天井部に設けることで施工性が向上する。
【００２３】
また、本発明に係る機能水生成機では、前記外ケースは、給水源からの水が流入する流入口を有し、前記流入口は、前記出水口よりも下方に位置することを特徴とすることが好ましい。
【００２４】
この好ましい態様では、出水口よりも流入口を下方に設けることで流入口と天井部との距離を遠くすることができるため、流入口付近で水が飛散した場合に天井部に飛散した水が到達することを抑制できる。
【００２５】
また、本発明に係る機能水生成機では、前記ケースは、前記外ケースの前記天井部近傍に設けられることを特徴とすることが好ましい。
【００２６】
この好ましい態様では、ケースと天井部とを近くに構成することで機能水生成機を小型化することができる。
【発明の効果】
【００２７】
本発明によれば、通水部と制御部とを同一のケースに収納した場合であっても、通水部側から制御部側に水が侵入して制御部が故障することを防止できるとともに、組み立て性やメンテナンス性が低下することを抑制する機能水生成機を提供することができる。
【図面の簡単な説明】
【００２８】
【図１】図１は、実施形態に係る機能水生成機が収納されるシステムキッチンを示す斜視図である。
【図２】図２は、実施形態に係る機能水生成機の分解斜視図である。
【図３】図３は、実施形態に係る機能水生成機の断面図である。
【図４】図４は、実施形態に係る機能水生成機の上面図である。
【発明を実施するための形態】
【００２９】
以下、添付図面を参照して、本発明の機能水生成機の実施形態を詳細に説明する。なお、以下に示す実施形態によりこの発明が限定されるものではない。また、説明の理解を容易にするため、各図面において同一の構成要素に対しては可能な限り同一の符合を付して、重複する説明は省略する。
【００３０】
図１は、実施形態に係る機能水生成機が収納されるシステムキッチンを示す斜視図である。図１に示すように、システムキッチンＳＫには、キャビネット１と、引出し２と、水栓装置３と、ハンドル４と、ボウル５と、機能水生成機１０（図示しない）と、を備える。
【００３１】
なお、以下では、図１に示すように、使用者と対面する側を水栓装置３およびシステムキッチンＳＫの前側（正面側）とし、その反対側を後側（背面側）とする。また、使用者から見て左側および右側を水栓装置３およびシステムキッチンＳＫの左側および右側とし、重力方向およびその反対方向を水栓装置３およびシステムキッチンＳＫの下側および上側とする。
【００３２】
キャビネット１は、内部に調理器具等を収納可能な収納スペースを有しており、キャビネット１の外形は箱状である。引出し２は、キャビネット１の収納スペースを開放させるために前後方向に移動可能となっている。
【００３３】
水栓装置３は、システムキッチンＳＫの上面に取り付けられ、機能水を吐水する。水栓装置３は、機能水のほかにも原水を吐水可能であり、機能水および原水の吐止水の操作を行うハンドル４を有している。なお、水栓装置３は、後述する機能水生成機１０と接続されている。
【００３４】
ボウル５は、下方に向かって凹んだ凹状に形成されており、水栓装置３から吐水された機能水および原水を受け止める。
【００３５】
次に上述した機能水生成機１０について図２を参照して説明する。図２は、実施形態に係る機能水生成機１０の分解斜視図である。
【００３６】
図２に示すように、機能水生成機１０、通水部２０と、制御部３０と、外ケース４０とを有する。通水部２０は、外部からの水が通水部２０に流入するための流入口２１と、流入口２１から流入した水を電気分解することで機能水を生成する電解槽２２と、電解槽２２で生成された機能水を通水部２０外に流出させる流出口２３を備える。
【００３７】
制御部３０は、基盤３１と、基盤３１を収納するケース３２を備える。制御部３０は、外部から電源の供給を受けるための電源接続部３３を制御部３０の上方側に設ける。制御部３０は、電解槽２２の通電の制御や、図示しない電磁弁の開閉を制御する。基盤３１を収納するケース３２は、防水性の高い合成樹脂材料で形成されることが好ましい。
【００３８】
外ケース４０は、前ケース４１と後ケース４２から構成され、通水部２０と制御部３０を収納する。前ケース４１は、外ケース４０の上方の天井面４６と下方の下面４４とを有する。ケース３２は、ケース３２が外ケース４０に収納できる程度に同等の寸法で形成される。外ケース４０は、通水部２０と制御部３０の間に通水部２０と制御部３０を仕切る仕切り壁４３を有している。仕切り壁４３は、外ケースの下面４４を基端に上方側に向かって延伸する。
【００３９】
図２は、通水部２０が後ケース４２に収納された状態を示しており、仕切り壁４３は、仕切り壁４３の上方側に開口部４５が形成されるように形成される。
【００４０】
次に、通水部２０および制御部３０が外ケース４０に収納された状態について図３を参照して説明する。図３は、実施形態に係る機能水生成機１０の断面図である。なお、図３は、説明を簡略化するために、通水部２０を簡略化して表すこととする。
【００４１】
図３に示すように、外ケース４０の内部は、通水部２０が収納される通水空間ＴＳと、制御部３０が収納される制御部空間ＳＳとが形成される。通水空間ＴＳは、制御部空間ＳＳと水平方向に隣接するように形成される。
【００４２】
また、外ケース４０は、通水空間ＴＳと制御部空間ＳＳとの間にそれぞれの空間を仕切る仕切り壁４３を有する。仕切り壁４３は、外ケース４０の下面４４を基端に上方に向かって延伸する。
【００４３】
仕切り壁４３の上方に開口部４５が形成されており、漏水が制御部空間ＳＳに侵入する可能性があるが、開口部４５をケース３２で閉塞するように、制御部３０を外ケース４０に収納する。
【００４４】
機能水生成機１０は、通水空間ＴＳに漏水を検知できる漏水検知部５０を有する。漏水検知部５０は、仕切り壁４３の上端よりも下方側に設けられる。
また、機能水生成機１０は、通水空間ＴＳに溜まった漏水を外ケース４０の外側に排出する排出穴６０を有している。排出穴６０は、仕切り壁４３の上端よりも下方側でかつ漏水検知部５０よりも上方側に設けられる。
【００４５】
上述したように通水空間ＴＳに溜まった水を排出する排出穴６０を設けることで、漏水が発生した場合、通水空間ＴＳに水が溜まることを防止できる。また、漏水の瞬間流量が大きく排出穴６０からの排出性能を超えた場合であっても、仕切り壁４３およびケース３２にて制御部空間ＳＳに水が侵入することを防止できる。また、通水部２０のメンテナンス時は、制御部３０を取り外すと、開口部４５が開放され、通水部２０をメンテナンスすることができる。このように、上述した構成とすることで、漏水発生時に水が制御部空間ＳＳに侵入することを防止できるとともに、メンテナンス性が低下することを防止できる。また、開口部４５を制御部３０のケース３２で閉塞することで、閉塞するためだけの目的で別部材を設ける必要がなく、機能水生成機１０を小さくすることができる。機能水生成機１０を小さくすることは、機能水生成機１０をシステムキッチンＳＫ等のキャビネット１内部に収納する際に有効であり、キャビネット１の本来の役割である調理器具等の収納スペースを犠牲にすることを防止できる。
【００４６】
次に、機能水生成機１０の天井面４６に付着した水の排出について図４を参照して説明する。図４は、実施形態に係る機能水生成機１０の上面図である。なお、図４は説明を簡略化するために、通水部２０を簡略化して表すこととする。
【００４７】
図４に示すように、天井面４６は、天井面４６に付着した水を誘導する水滴誘導部７０と、第二水滴誘導部８０を有する。水滴誘導部７０は、通水空間ＴＳと制御部空間ＳＳの間に設けられる。第二水滴誘導部８０は、制御部空間ＳＳに設けられる。
【００４８】
水滴誘導部７０および第二水滴誘導部８０は、電源接続部３３の上方を通過することなく排出位置に水滴を誘導するように構成されている。また、水滴誘導部７０および第二水滴誘導部８０は天井面４６を基端として下方側に向かって突出するように形成される。
【００４９】
天井面４６に付着した水は、水滴誘導部７０および第二水滴誘導部８０によって天井面４６を沿うように移動し、外ケース４０の周面４７に到達する。周面４７に到達した水は周面４７に沿って下方に落下し、その後排出穴６０から外ケース４０の外部に排出される。
【００５０】
外ケース４０は、通水部２０の流出口２３と連通し、機能水生成機１０から機能水を出水する出水口４８を有する。出水口４８は、流入口２１よりも上方の外ケース４０の天井面４６に設けられる。
【００５１】
上記のように、水滴誘導部７０を設けることで、天井面４６に付着した水が天井面４６を沿って制御部空間ＳＳに侵入することを抑制できる。また、万が一制御部空間ＳＳに水が侵入した場合であっても、第二水滴誘導部８０を設けることで、外ケース４０の周面４７まで水を誘導し、制御部３０に水が落下することを防止できる。また、万が一水滴誘導部７０および第二水滴誘導部８０から水が落下した場合であっても、電源接続部３３の上部を避けて水滴誘導部７０および第二水滴誘導部８０を設けることで、水が電源接続部３３に落下することを防止でき、制御部３０が故障することを防止できる。
【００５２】
また、出水口４８を天井面４６に設けることで、機能水生成機１０をシステムキッチンＳＫのキャビネット１内部に設置した場合に機能水生成機１０の上方に位置する水栓装置３との接続が容易になり施工性を向上させることができる。
【００５３】
機能水生成機１０の一例として、機能水を電気分解によって生成する方法について説明したが、本発明においては、電気分解による生成以外であってもよい。
【００５４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００５５】
１  キャビネット
２  引出し
３  水栓装置
４  ハンドル
５  ボウル
１０  機能水生成機
２０  通水部
２１  流入口
２２  電解槽
２３  流出口
３０  制御部
３１  基盤
３２  ケース
３３  電源接続部
４０  外ケース
４１  前ケース
４２  後ケース
４３  仕切り壁
４４  下面
４５  開口部
４６  天井面
４７  周面
４８  出水口
５０  漏水検知部
６０  排出穴
７０  水滴誘導部
８０  第二水滴誘導部
ＳＫ  システムキッチン
ＴＳ  通水空間
ＳＳ  制御部空間
【図１】
0006685507.tif 000002
【図２】
0006685507.tif 000003
【図３】
0006685507.tif 000004
【図４】
0006685507.tif 000005